【手続補正書】
【提出日】平成19年12月4日(2007.12.4)
【手続補正１】
【補正対象書類名】明細書
【補正対象項目名】発明の名称
【補正方法】変更
【補正の内容】
【発明の名称】通信端末装置、表示装置、通信システム、着信報知方法、着信表示方法および通信システムの着信表示方法
【手続補正２】
【補正対象書類名】明細書
【補正対象項目名】特許請求の範囲
【補正方法】変更
【補正の内容】
【特許請求の範囲】
【請求項１】
音楽を再生するための音楽再生部と、
音楽再生中に他の通信端末装置から着信があった場合に、系外の表示部に所定
の情報を表示させるための表示信号を送信する表示指示部と、
を備えることを特徴とする通信端末装置。
【請求項２】
上記表示指示部は、ＢｌｕｅＴｏｏｔｈ（登録商標）の規格に則った表示信号を送信する
ことを特徴とする請求項１記載の通信端末装置。
【請求項３】
上記表示指示部は、上記表示信号を送信した後に上記他の通信端末装置と通話が成立すると、上記系外の表示部に表示されている上記所定の表示を消灯させる消灯信号を送信する
ことを特徴とする請求項１記載の通信端末装置。
【請求項４】
上記表示指示部は、ＢｌｕｅＴｏｏｔｈ（登録商標）の規格に則った消灯信号を送信する
ことを特徴とする請求項３記載の通信端末装置。
【請求項５】
上記系外の表示部は、交通情報を表示するディスプレイである
ことを特徴とする請求項１記載の通信端末装置。
【請求項６】
音楽再生中に着信があった通信端末装置から、所定の情報を表示させるための表示信号を受信し、当該受信した表示信号に基づいた表示をする表示装置。
【請求項７】
ＢｌｕｅＴｏｏｔｈ（登録商標）の規格に則った表示信号を受信する
ことを特徴とする請求項６記載の表示装置。
【請求項８】
上記表示信号を受信した後に、上記通信端末装置と他の通信端末装置との通話が成立し、上記通信端末装置から送信される上記所定の表示を消灯させる消灯信号を受信し、上記所定の表示を消灯させる
ことを特徴とする請求項６記載の表示装置。
【請求項９】
ＢｌｕｅＴｏｏｔｈ（登録商標）の規格に則った消灯信号を受信する
ことを特徴とする請求項８記載の表示装置。
【請求項１０】
上記表示装置は、交通情報を表示する
ことを特徴とする請求項６記載の表示装置。
【請求項１１】
通信端末装置と表示装置とから構成される通信システムにおいて、
上記通信端末装置は、
音楽を再生するための音楽再生部と、
音楽再生中に他の通信端末装置から着信があった場合に、上記表示装置に所定
の情報を表示させるための表示信号を送信する表示指示部と、
を備え
上記表示装置は、
上記通信端末装置の上記表示指示部から送信される上記表示信号を受信し、当該受信した表示信号に基づいた表示をする
ことを特徴とする通信システム。
【請求項１２】
音楽の再生を開始するステップと、
上記音楽の再生中に他の通信端末装置から着信があった場合に、系外の表示部に所定の情報を表示させるための表示信号を送信するステップと、
を有することを特徴とする着信報知方法。
【請求項１３】
上記他の通信端末装置からの着信後に通話を成立させるステップと、
上記系外の表示部に表示されている上記所定の表示を消灯させる消灯信号を送信するステップと、
を有することを特徴とする請求項１２記載の着信報知方法。
【請求項１４】
音楽再生中に着信があった通信端末装置から、所定の情報を表示させるための表示信号を受信するステップと、
受信した上記表示信号に基づいた表示をするステップと、
を有することを特徴とする着信表示方法。
【請求項１５】
上記表示信号を受信した後に、上記通信端末装置と他の通信端末装置との通話が成立し、上記通信端末装置から送信される上記所定の表示を消灯させる消灯信号を受信するステップと、
上記所定の表示を消灯させるステップと、
をさらに有することを特徴とする請求項１４記載の着信表示方法。
【請求項１６】
通信端末装置と表示装置とから構成される通信システムの着信表示方法において、
上記通信端末装置は、
音楽の再生を開始するステップと、
上記音楽の再生中に他の通信端末装置から着信があった場合に、上記表示装置に所定の情報を表示させるための表示信号を送信するステップとを有し、
上記表示装置は、
上記所定の情報を表示させるための表示信号を受信するステップと、
受信した上記表示信号に基づいた表示をするステップとを有する
ことを特徴とする通信システムの着信表示方法。
【手続補正３】
【補正対象書類名】明細書
【補正対象項目名】０００１
【補正方法】変更
【補正の内容】
【０００１】
【発明の属する技術分野】
本発明は、携帯電話機、ＰＨＳ(Personal Handy Phone)、ＰＤＡ(Personal Digital Assistants)等の通信端末装置、特に、音楽再生機能を備えた通信端末装置、表示装置、通信システム、着信報知方法、着信表示方法および通信システムの着信表示方法に関するものである。
【手続補正４】
【補正対象書類名】明細書
【補正対象項目名】０００４
【補正方法】変更
【補正の内容】
【０００４】
本発明は、上記問題を解決するためになされたものであり、音楽を停止することなく
的確に着信報知できる通信端末装置、表示装置、通信システム、着信報知方法、着信表
示方法および通信システムの着信表示方法を提供することを目的とする。
【手続補正５】
【補正対象書類名】明細書
【補正対象項目名】０００５
【補正方法】変更
【補正の内容】
【０００５】
【課題を解決するための手段】
上記目的を達成するために、本発明は、音楽を再生するための音楽再生部と、音楽再生中に他の通信端末装置から着信があった場合に、系外の表示部に所定の情報を表示させるための表示信号を送信する表示指示部と、を備えることを特徴とする。
また、本発明に係る表示装置は、音楽再生中に着信があった通信端末装置から、所定の情報を表示させるための表示信号を受信し、当該受信した表示信号に基づいた表示をするものである。
本発明に係る通信システムは、通信端末装置と表示装置とから構成される通信システムにおいて、通信端末装置は、音楽を再生するための音楽再生部と、音楽再生中に他の通信端末装置から着信があった場合に、表示装置に所定の情報を表示させるための表示信号を送信する表示指示部と、を備え表示装置は、通信端末装置の表示指示部から送信される表示信号を受信し、当該受信した表示信号に基づいた表示をすることを特徴とする。
【手続補正６】
【補正対象書類名】明細書
【補正対象項目名】０００６
【補正方法】変更
【補正の内容】
【０００６】
本発明によれば、音楽再生中に着信があった場合に、表示指示部が系外にある電光掲示板等の表示部に表示信号を送信する。そして、上記表示信号を受信した表示部には、所定の情報が表示される。このため、通信端末装置のユーザが表示部の情報を見ることで、再生中の音楽を停止することなく、ユーザに対して的確に着信報知することができる。
【手続補正７】
【補正対象書類名】明細書
【補正対象項目名】０００７
【補正方法】変更
【補正の内容】
【０００７】
また、本発明の着信報知方法は、音楽の再生を開始するステップと、音楽の再生中に他の通信端末装置から着信があった場合に、系外の表示部に所定の情報を表示させるための表示信号を送信するステップと、を有することを特徴とする。
また、本発明の着信表示方法は、音楽再生中に着信があった通信端末装置から、所定の情報を表示させるための表示信号を受信するステップと、受信した表示信号に基づいた表示をするステップと、を有することを特徴とする。
また、本発明の着信表示方法は、音楽の再生を開始するステップと、音楽の再生中に他の通信端末装置から着信があった場合に、表示装置に所定の情報を表示させるための表示信号を送信するステップと、所定の情報を表示させるための表示信号を受信するステップと、受信した表示信号に基づいた表示をするステップと、を有することを特徴とする。
【手続補正８】
【補正対象書類名】明細書
【補正対象項目名】０００８
【補正方法】変更
【補正の内容】
【０００８】
本発明によれば、音楽再生中に着信があった場合に、通信端末装置は、表示指示部が系外にある電光掲示板等の表示部に表示信号を送信する。そして、表示信号を受信した表示部に所定の情報が表示される。このため、通信端末装置のユーザが表示部の情報を見ることで、再生中の音楽を停止することなく、ユーザに対して的確に着信報知することができる。
【手続補正９】
【補正対象書類名】明細書
【補正対象項目名】０００９
【補正方法】変更
【補正の内容】
【０００９】
【発明の実施の形態】
以下、添付図面を参照して、本発明に係る通信端末装置、表示装置、通信システム、
着信報知方法、着信表示方法および通信システムの着信表示方法の好適な実施形態につ
いて詳細に説明する。
【手続補正１０】
【補正対象書類名】明細書
【補正対象項目名】００３６
【補正方法】変更
【補正の内容】
【００３６】
【発明の効果】
以上説明したように、本発明の通信端末装置、表示装置、通信システム、着信報知方法、着信表示方法および通信システムの着信表示方法によれば、音楽再生中に着信があった場合に、表示指示部が系外にある電光掲示板等の表示部に表示信号を送信する。そして、上記表示信号を受信した表示部には、所定の情報が表示される。このため、通信端末装置のユーザが表示部の情報を見ることで、再生中の音楽を停止することなく、ユーザに対して的確に着信報知することができる。